(57)【特許請求の範囲】
【請求項１】
螺子孔を有する４本の金属拡張アンカー（１１）と、それらの金属拡張アンカー（１１）に螺合わされる固定ボルト（１２）と、４本のアンカーボルト（１３）と、それら４本のアンカーボルト（１３）を差し込むアンカーボルト差込孔（１４）が矩形の各頂点に該当する位置に開けられており、それら４個のアンカーボルト差込孔（１４）に囲まれる中心部が開口部（１５）になっている上部型板（１６）と、下端部からは前記の固定ボルト（１２）を差し込む固定ボルト差込孔（１７）を有する脚材（１８）が四方に突き出ており、上端部からは接合ボルト（１９）を差し込む接合ボルト差込孔（２０）を有し上記上部型板（１６）を水平に支える４個のアーム（２１）が四方に突き出ているアンカー支柱（２２）と、アンカー支柱（２２）の脚材（１８）とアーム（２１）の間においてアンカー支柱（２２）の周りを囲む数本のフープ筋（２３）と、それら数本のフープ筋（２３）をアンカー支柱（２２）の高さ方向に並べて支持する数本の主筋（２４）とによって構成されており、上記の上部形板（１６）の各アンカーボルト差込孔（１４）とアンカーボルト差込孔（１４）の間の部分に上記のアーム（２１）の接合ボルト差込孔（２０）に対応する接合ボルト差込孔（２６）が開けられており、ボルト頭部を下向きにしてそれらの対応する接合ボルト差込孔（２０）・（２６）に差し込んで上向きに突き出たボルト（１９）の先端にナット（２５）を締め付けて上部型板（１６）がアーム（２１）に接合されていることを特徴とするユニットアンカー。
【請求項２】
前掲請求項１に記載のユニットアンカーにおいて、アーム（２１）の接合ボルト差込孔（２０）が、アンカー支柱（２２）の軸芯を通って上部型板（１６）のアンカーボルト差込孔（１４）とアンカーボルト差込孔（１４）の間を２等分する二等分線（２９）よりも、その二等分線（２１）を境にして向き合う一方のアンカーボルト差込孔（１４）の側へと離れた位置に開けられていることを特徴とする前掲請求項１に記載のユニットアンカー。
【請求項３】
前掲請求項２に記載のユニットアンカーにおいて、脚材（１８）の固定ボルト差込孔（１７）が、アンカー支柱（２２）の下端部においてアンカー支柱（２２）の軸芯を通り、且つ、上記の二等分線（２９）に平行な中心線上に開けられていることを特徴とする前掲請求項２に記載のユニットアンカー。
【請求項４】
前掲請求項１に記載のユニットアンカーにおいて、アンカー支柱（２２）を構成している中空角形鋼管の各外面（３０）に溶接されたナット（３１）に螺着されたセパレーター（３２）がフープ筋（２３）の外側まで突き出ていることを特徴とする前掲請求項１に記載のユニットアンカー。
【請求項５】
前掲請求項１に記載のユニットアンカーにおいて、フープ筋（２３）が矩形環を形成しており、その矩形環の四隅と各隅間との少なくとも８か所において矩形環の内側に主筋（２４）がフープ筋（２３）に溶接され、フープ筋（２３）と主筋（２４）とがアンカー支柱（２２）を囲む柵状構造物を形成されていることを特徴とする前掲請求項１に記載のユニットアンカー。
【請求項６】
前掲請求項１に記載のユニットアンカーにおいて、脚材（１８）の固定ボルト差込孔（１７）に差し込まれた固定ボルト（１２）が、その固定ボルト差込孔（１７）を間に挟む固定ボルト（１２）の上側と下側に螺着した上側ナット（３３）と下側ナット（３４）を締め付けて脚材（１８）に固定されており、その下側ナット（３４）と脚材（１８）の間に座金（３５）が嵌め込まれており、その座金（３５）の孔を固定ボルト（１２）が貫通していることを特徴とする前掲請求項１に記載のユニットアンカー。
【請求項７】
Ｈ形鋼梁（３６）が接合される柱脚（３７）を支えるコンクリート基台（３８）が捨てコンクリート（３９）の上に打設されており、その捨てコンクリート（３９）の上に敷設されたベース筋（４０）の上に設置された前掲請求項１に記載のユニットアンカー（４１）がコンクリート基台（３８）の内部に埋設されており、固定ボルト（１２）が捨てコンクリート（３９）に係止されていることを特徴とする形鋼基礎梁。
【請求項８】
前掲請求項７に記載の形鋼基礎梁おいて、Ｈ形鋼梁（３６）が、柱脚（３７）から片持梁状に突き出たブラケット梁（４２）にスプライスプレート（４３）を介して接合されていることを特徴とする請求項７に記載の形鋼基礎梁。
【請求項９】
前掲請求項７に記載の形鋼基礎梁おいて、支柱（５８）の下端部分に取り付けたジョイントボックス（４４）によって柱脚（３７）が構成されており、そのジョイントボックス（４４）の底面に取り付けたベースプレートをアンカーボルト（１３）によってコンクリート基台（３８）に螺子止め固定し、Ｈ形鋼梁（３６）に溶接したエンドプレート（４５）をジョイントボックス（４４）にボルト（４６）によってに螺子止め固定して、ジョイントボックス（４４）により構成される柱脚（３７）と柱脚（３７）の間にＨ形鋼梁が支架されていることを特徴とする請求項７に記載の形鋼基礎梁。
【発明の詳細な説明】
【０００１】
【産業上の利用分野】
本発明は建築物の基礎に関するものである。
【０００２】
【従来の技術】
コンクリート基礎梁を打設する場合、地中を深く堀り下げて捨てコンクリートを打設し、その上にアンカーフレームと地中梁の配筋を行い、それらの鉄筋の周りを型枠で囲んでコンクリートを打ち込み、コンクリートの硬化後に型枠を取り外し、その取り出した土を埋め戻す一連の作業が行われる。
【０００３】
【発明が解決しようとする課題】
従来の工法では、コンクリート基礎梁を打設するために堀り下げた建築物には、周囲を囲む深い溝が出来るので、コンクリート基礎梁が出来て土を埋め戻すまでに建築資材を建築現場に持ち込むことは出来ず、堀り出した土の搬出と埋め戻す土の搬入や型枠の搬入・搬出、配筋や型枠の組み立て・解体に多大な労力を要し、その打ち込んだコンクリートの養生に長時間を要するので建築工事は長期化し、柱脚を支えるコンクリート基台には地震等によって加わる強い水平力に耐えるようにするため高価なアクテイブアンカーを使用しなければならない等の点が問題になる。
【０００４】
【発明の目的】
そこで本発明は、高価なアクテイブアンカーを使用せずに済み、地中の堀り起こしと埋め戻し作業を柱脚を支えるコンクリート基台箇所だけで済むようにすると共に、その堀り起こしも浅くて済むユニットアンカーを提供し、それによって建築基礎工事の工期の短期化を図ることを目的とする。
【０００５】
【課題を解決するための手段】
本発明に係るユニットアンカー（４１）は、上記の目的を達成するものであり、
（ａ）  螺子孔を有する４本の金属拡張アンカー（１１）と、それらの金属拡張アンカー（１１）に螺合わされる固定ボルト（１２）と、４本のアンカーボルト（１３）と、
（ｂ）  それら４本のアンカーボルト（１３）を差し込むアンカーボルト差込孔（１４）が矩形の各頂点に該当する位置に開けられており、それら４個のアンカーボルト差込孔（１４）に囲まれる中心部が開口部（１５）になっている上部型板（１６）と、
（ｃ）  下端部からは前記の固定ボルト（１２）を差し込む固定ボルト差込孔（１７）を有する脚材（１８）が四方に突き出ており、上端部からは接合ボルト（１９）を差し込む接合ボルト差込孔（２０）を有し上記上部型板（１６）を水平に支える４個のアーム（２１）が四方に突き出ているアンカー支柱（２２）と、
（ｄ）  アンカー支柱（２２）の脚材（１８）とアーム（２１）の間においてアンカー支柱（２２）の周りを囲む数本のフープ筋（２３）と、それら数本のフープ筋（２３）をアンカー支柱（２２）の高さ方向に並べて支持する数本の主筋（２４）とによって構成されており、
（ｅ）  上記の上部形板（１６）の各アンカーボルト差込孔（１４）とアンカーボルト差込孔（１４）の間の部分に上記のアーム（２１）の接合ボルト差込孔（２０）に対応する接合ボルト差込孔（２６）が開けられており、
（ｆ）  ボルト頭部を下向きにしてそれらの対応する接合ボルト差込孔（２０）・（２６）に差し込んで上向きに突き出たボルト（１９）の先端にナット（２５）を締め付けて上部型板（１６）が、アーム（２１）に接合されていることを第１の特徴とする。
その上部型板（１６）のアンカーボルト差込孔（１４）に差し込んだアンカーボルト（１３）は、アンカー支柱（２２）とフープ筋（２３）の間にアンカーボルト差込孔（１４）からアンカー支柱（２２）に平行に突き出し、アンカーボルト（１３）と主筋（２４）の各下端部（２７）・（２８）は折り曲げてフープ筋（２３）の外側へと突き出す。
【０００６】
本発明に係るユニットアンカー（４１）の第２の特徴は、上記第１の特徴に加え、アーム（２１）の接合ボルト差込孔（２０）が、アンカー支柱（２２）の軸芯を通って上部型板（１６）のアンカーボルト差込孔（１４）とアンカーボルト差込孔（１４）の間を２等分する二等分線（２９）よりも、その二等分線（２１）を境にして向き合う一方のアンカーボルト差込孔（１４）の側へと離れた位置に開けられていることにある。
【０００７】
本発明に係るユニットアンカー（４１）の第３の特徴は、上記第２の特徴に加え、脚材（１８）の固定ボルト差込孔（１７）が、アンカー支柱（２２）の下端部においてアンカー支柱（２２）の軸芯を通り、且つ、上記の二等分線（２９）に平行な中心線上に開けられていることにある。
【０００８】
本発明に係るユニットアンカー（４１）の第４の特徴は、上記第１の特徴に加え、アンカー支柱（２２）を構成している中空角形鋼管の各外面（３０）に溶接されたナット（３１）に螺着されたセパレーター（３２）がフープ筋（２３）の外側まで突き出ていることにあり、浮型枠が現場で細工せずに施工出来るようになっていることにある。
【０００９】
本発明に係るユニットアンカー（４１）の第５の特徴は、上記第１の特徴に加え、フープ筋（２３）が矩形環を形成しており、その矩形環の四隅と各隅間との少なくとも８か所において矩形環の内側に主筋（２４）がフープ筋（２３）に溶接され、フープ筋（２３）と主筋（２４）とがアンカー支柱（２２）を囲む柵状構造物を形成されていることにある。
【００１０】
本発明に係るユニットアンカー（４１）の第６の特徴は、上記第１の特徴に加え、脚材（１９）の固定ボルト差込孔（１７）に差し込まれた固定ボルト（１２）が、その固定ボルト差込孔（１７）を間に挟む固定ボルト（１２）の上側と下側に螺着した上側ナット（３３）と下側ナット（３４）を締め付けて脚材（１８）に固定されており、その下側ナット（３４）と脚材（１８）の間に座金（３５）が嵌め込まれており、その座金（３５）の孔を固定ボルト（１２）が貫通していることにある。
【００１１】
本発明に係る形鋼基礎梁の第１の特徴は、Ｈ形鋼梁（３６）が接合される柱脚（３７）を支えるコンクリート基台（３８）が捨てコンクリート（３９）の上に打設されており、その捨てコンクリート（３９）の上に敷設されたベース筋（４０）の上に設置された上記のユニットアンカー（４１）がコンクリート基台（３８）の内部に埋設されており、固定ボルト（１２）が捨てコンクリート（３９）に係止されていることにある。
【００１２】
本発明に係る形鋼基礎梁の第２の特徴は、上記第１の特徴に加え、Ｈ形鋼梁（３６）が、柱脚（３７）から片持梁状に突き出たブラケット梁（４２）にスプライスプレート（４３）を介して接合されていることにある。
【００１３】
本発明に係る形鋼基礎梁の第３の特徴は、上記第１の特徴に加え、支柱（５８）の下端部分に取り付けたジョイントボックス（４４）によって柱脚（３７）が構成されており、そのジョイントボックス（４４）の底面に取り付けたベースプレートをアンカーボルト（１３）によってコンクリート基台（３８）に螺子止め固定し、Ｈ形鋼梁（３６）に溶接したエンドプレート（４５）をジョイントボックス（４４）にボルト（４６）によってに螺子止め固定して、ジョイントボックス（４４）により構成される柱脚（３７）と柱脚（３７）の間にＨ形鋼梁（３６）が支架されていることにある。
【００１４】
【作用】
本発明によると、地震等によってコンクリート基台（３８）に加わる水平力は主としてＨ形鋼梁（３６）に作用し、アンカーボルト（１３）には水平力が作用しないので、そのアンカーボルト（１３）にはコンクリート布基礎等に使用される通常のアンカーボルトを使用することが出来、従って、長大且つ高価なアクテイブアンカーを使用せずに済むと共に、コンクリート基台（３８）を埋設するための地面の堀り下げが浅くて済むようになる。
【００１５】
【実施例】
以下、図示する実施例により本発明を説明する。図１は、捨てコンクリート３９の上に設置されたユニットアンカー４１の側面図であり、４７は砕石層である。ユニットアンカー４１は、螺子孔を有する４本の金属拡張アンカー１１と、それらの金属拡張アンカー１１に螺合わされる固定ボルト１２と、４本のアンカーボルト１３と、上部型板１６と、アンカー支柱２２と、数本のフープ筋２３と、数本の主筋２４とによって構成されている。
【００１６】
上部型板１６は、４本のアンカーボルト１３を差し込むアンカーボルト差込孔１４を矩形の各頂点に該当する位置に開け、それら４個のアンカーボルト差込孔１４に囲まれる中心部に開口部１５を設けて構成されている。
【００１７】
アンカー支柱２２は、中空角形鋼管の下端部から固定ボルト１２を差し込む固定ボルト差込孔１７を有する脚材１８を四方に突き出し、上端部から接合ボルト１９を差し込む接合ボルト差込孔２０を有し、上部型板１６を水平に支える４個のアーム２１を四方に突き出して構成されている。
アンカー支柱２２の脚材１８とアーム２１の間は、アンカー支柱２２の周りに配置した数本の主筋２４に数本のフープ筋２３を係止して柵状に囲まれている。
【００１８】
フープ筋２３は矩形環状に加工し、その矩形環の内側から、その四隅と各隅と隅の間との８か所に主筋２４を溶接し、アンカー支柱２２を囲む柵状構造物にフープ筋２３と主筋２４を組み立てておいてもよい。
上部形板１６の各アンカーボルト差込孔１４とアンカーボルト差込孔１４の間の部分には、アーム２１の接合ボルト差込孔２０に対応する接合ボルト差込孔２６が開けられている。
【００１９】
上部型板１６とアーム２１とは、それらの対応する接合ボルト差込孔２０・２６に、ボルト頭部を下向きにして差し込んで上向きに突き出たボルト１９の先端にナット２５を締め付けて接合されている。
アンカーボルト１３は、上部型板１６のアンカーボルト差込孔１４に差し込まれ、アンカー支柱２２とフープ筋２３の間にアンカー支柱２２に平行に垂下している。アンカーボルト１３と主筋２４の各下端部２７・２８は、定着長をとるために直角に折れ曲げられてフープ筋２３の外側へと突き出されているが、アンカーボルト１３と主筋２４の各下端部に定着板を取り付けて付着力を増す場合には、それらの下端部２７・２８を折り曲げてフープ筋２３の外側へと突き出す必要はない。
【００２０】
脚材１８の固定ボルト差込孔１７は、アンカー支柱２２の軸芯を通り、中空角形鋼管の各側面を二等分する中心線上に開けられている。
アンカー支柱２２を構成している中空角形骨材の各外面３０にはナット３１が溶接されており、そのナット３１にセパレーター３２が螺着されてフープ筋２３の外側まで突き出ている。
【００２１】
図２は、ユニットアンカー４１を使用した形鋼基礎梁を図示し、ユニットアンカー４１は、柱脚３７を支えるコンクリート基台３８の内部に埋設されている。
３９は、捨てコンクリートである。
４０は、ベース筋である。
脚材１９の固定ボルト差込孔１７に差し込まれた固定ボルト１２は、捨てコンクリート３９に係止されている。
【００２２】
脚材１８には、固定ボルト差込孔１７を間に挟む固定ボルト１２の上側と下側に螺着した上側ナット３３と下側ナット３４が締め付けて固定されている。
その下側ナット３４と脚材１８の間に座金３５が嵌め込まれており、その座金３５の孔を固定ボルト１２が貫通している。
【００２３】
Ｈ形鋼梁３６は、柱脚３７から片持梁状に突き出たブラケット梁４２にスプライスプレート４３を介して接合されている。
Ｈ形鋼梁３６の周りにはコンクリートのひび割れ防止のために主筋２４とフープ筋２３を配筋し、コンクリートを打ち込んでＨ形鋼梁３６を保護している。
図において、４８は、捨てコンクリートであり、４９は、砕石である。
【００２４】
図３〜図１０は、コンクリート基台３８が形成されるまでの工程を順を追って図示するものである。
まず、捨てコンクリート３９の上に墨出しを行い、アンカー支柱２２の脚材１８の固定ボルト差込孔１７に合わせて孔を堀り、その孔に金属拡張アンカー１１を埋設し、全ネジ固定ボルト１２を金属拡張アンカー１１に螺着し、ベースナット５０を締めて固定する（図３）。
【００２５】
次いで、捨てコンクリート３９の上にベース筋４０を配筋し（図４）、固定ボルト１２に脚材１８の固定ボルト差込孔１７を合わせてアンカー支柱２２を立てる（図５）。
このとき、固定ボルト１２には予めナット３４と座金３５を付け、その下側ナット３４を回してレベルを所定のレベルに調整しておき、その後アンカー支柱２２をセットする。
そのように下側ナット３４を所定のレベルに調整しておくと、アンカー支柱２２は所定のレベルに垂直に揃えられ、そのまま上側ナット３３を締め、上側ナット３３と下側ナット３４で脚材１８を挟み込んで捨てコンクリート３９に固定する。
【００２６】
フープ筋２３と主筋２４とは、矩形環状のフープ筋２３の内側四隅と各隅間の８か所に主筋２４を接合して柵状構造に組み立て、その柵状構造物によってアンカー支柱２２を囲む（図６）。
このとき、アンカーボルト１３はフープ筋２３の矩形環とアンカー支柱２２の間に配置する。
【００２７】
次いで、接合ボルト差込孔２０・２６を合わせてアーム２１に上部型板１６を載せ、接合ボルト１９を接合ボルト差込孔２０・２６に上向きに差し込み、ナット２５を締めて上部型板１６をアンカー支柱２２に取り付ける（図７）。
このとき、アンカーボルト１３の上端を上部型板１６のアンカーボルト差込孔１４に差し込み、その突き出た上端にナット５１を螺着する。
【００２８】
次いで、アンカー支柱２２にセパレーター３２を取り付け（図８）、セパレーター３２に型枠５２を係止し（図９）、型枠内５２とアンカー支柱２２の中空部５３にコンクリートを打ち込む。
図１０は、このようにして打ち込まれたコンクリート基台３８を図示するものであり、その上面に墨出しを行う。
【００２９】
その墨出しに際し、接合ボルト１９がアンカーボルト１３とアンカーボルト１３の間の中心線上２９に突き出ていると墨出し作業の邪魔になる。
かかる不都合を回避するには、図１１に図示する如く、アーム２１の接合ボルト差込孔２０を、アンカー支柱２２の軸芯を通って上部型板１６のアンカーボルト差込孔１４とアンカーボルト差込孔１４の間を２等分する二等分線２９よりも、その二等分線２１を境にして向き合う一方のアンカーボルト差込孔１４の側へと逸れた位置に開けておくとよい。
その場合には、脚材１８の固定ボルト差込孔１７の位置は、アンカー支柱２２の下端部においてアンカー支柱２２の軸芯を通り、且つ、アンカーボルト差込孔１４とアンカーボルト差込孔１４の間の二等分線２９に平行な中心線上に来ることになる。
【００３０】
コンクリート基台３８の上にレベルを揃えるためのコンクリートまんじゅう５４を盛り上げるときは、図１２に図示する如く、まず、コンクリート基台３８の上にコンクリートまんじゅう５４を盛り上げ、次に、四方の接合ボルト１９に嵌合する嵌合孔５６を有するレベル調整板５７を、それらの嵌合孔５６を四方の接合ボルト１９に嵌め合わせてコンクリートまんじゅう５４の上に載せ、次いで、四方の接合ボルト１９にナット２５を螺着し、それらのナット２５を所定のレベルまで締めつけてレベル調整板５７をコンクリートまんじゅう５４に圧着させ、そうすることによってコンクリートまんじゅう５４を所定のレベルまでレベル調整板５７によって押し潰し、そのままコンクリートまんじゅう５４を硬化させる。
従って、コンクリートまんじゅう５４の天端は、レベル調整板５７を介し、ナット２５によって所定のレベルに揃えられることになる。
図１３は、そのようにして天端が所定のレベルに揃えられたコンクリートまんじゅう５４の上に柱脚を載せて建て上げた支柱５８の柱脚部分を図示するものである。
【００３１】
柱脚３７は、支柱５８に溶接したジョイントボックス４４によって構成されている。ジョイントボックス４４の底面にはベースプレートが溶接されており、その四隅のはボルト差込孔に嵌め込んだアンカーボルト１３によってジョイントボックス４４がコンクリート基台３８に螺子止め固定されている。
【００３２】
ジョイントボックス４４の四側面には、それぞれ左右対称にそれぞれ６個のボルト差込孔６２・６３・６４・６５・６６・６７が上下に等間隔に開けられている。
一方、基礎梁１５の仕口にはエンドプレート４５が溶接されており、エンドプレート１６には左右対称にそれぞれ４個のボルト差込孔７２・７３・７４・７５が上下に並べて開けられている。
【００３３】
その最上段のボルト差込孔７２と第２番目のボルト差込孔７３の間隔、および、第３番目のボルト差込孔７４と最下段のボルト差込孔７５の間隔は上下に等間隔に並んだジョイントボックス４４のボルト差込孔６２・６３・６４・６５・６６・６７の間隔と等しく、その第２番目のボルト差込孔７３と第３番目のボルト差込孔７４の間隔はジョイントボックス４４ボルト差込孔６２・６３・６４・６５・６６・６７の間隔の２倍になっている。
【００３４】
ジョイントボックス４４の右側面には、その最上段のボルト差込孔６２にエンドプレート４５Ａの最上段のボルト差込孔７２を合わせ、エンドプレート４５Ａを介してボルトによって右側のＨ形鋼梁３６Ａが接合されている。
一方、ジョイントボックス４４の左側面には、その最下段のボルト差込孔６７にエンドプレート４５Ｂの最下段のボルト差込孔７５を合わせ、そのエンドプレート４５Ｂを介してボルトによって左側のＨ形鋼梁３６Ｂが接合されている。
【００３５】
このため、右側に接合されたＨ形鋼梁３６Ａの天端と左側に接合されたＨ形鋼梁３６Ｂの天端との間にはジョイントボックス４４のボルト差込孔６２・６３・６４・６５・６６・６７の間隔の等倍分の段差５９が形成される。
左右のＨ形鋼梁３６Ａと３６Ｂの天端間の段差を大きくするには、ジョイントボックス４４の背を高くしてボルト差込孔（６２・６３・６４・６５・６６・６７）の数を増やせばよく、その場合には、ボルト差込孔６２・６３・６４・６５・６６・６７の間隔の数倍分の段差５９が形成される。
【００３６】
そのように左右のＨ形鋼梁３６Ａと３６Ｂの天端間の段差５９を付けると、右側のＨ形鋼梁３６ＡにはＡＬＣ床板を施工し、左側のＨ形鋼梁３６Ｂの上にはデッキプレートを施工してコンクリート土間を打設する等して、店舗やピロテイ等の床の低い箇所の形鋼基礎梁に対応することが出来るようになる。
そして、ジョイントボックス４４を柱脚３７に用いる場合には、四側面の何れにもＨ形鋼梁３６を接合することが出来、ブラケット梁４２を方向や高さを変えて突設する必要がないので、支柱５８の種類が減り、形鋼基礎梁の施工がシステムとして標準化し易くなり、また、突き合わせるブラケット梁４２とＨ形鋼梁３６の間に出来る遊嵌もなくなるので形鋼基礎梁の施工精度が確保されることにもなる。
【００３７】
尚、ボルト差込孔（６２・６３・６４・６５・６６・６７）の数を増やしてジョイントボックス４４の背が高くなり、ジョイントボックス４４の強度が不足するようになった場合には、図１４に図示する如く、ジョイントボックス４４の上部に小穴６０を開けておき、そこからグラウド６１を注入してジョイントボックス４４の強度を確保すればよい。
【００３８】
【発明の効果】
本発明に係るユニットアンカー４１は、螺子孔を有する４本の金属拡張アンカー１１と、それらの金属拡張アンカー１１に螺合わされる固定ボルト１２と、４本のアンカーボルト１３と、上部型板１６と、アンカー支柱２２と、数本のフープ筋２３と、数本の主筋２４とによって構成され、それらを工場で組み立てて一体化し単一部品化することが出来、そうすることによって現場での作業はユニットアンカー４１を据えつける単純作業となり、特に、ユニットアンカー４１のレベル調整は、捨てコンクリート３９に立てた固定ボルト１２の下側ナット３４を回して行われ、また、コンクリート基台３８の上に盛り上げるコンクリートまんじゅう５４のレベル調整も、コンクリートまんじゅう５４の上にレベル調整板５７を載せてナット２５を所定のレベルまで回すだけの単純作業となり、それらのレベル調整に格別な熟練は要求されず、工数と工期を大幅に削減することが出来、基礎梁の品質も向上する。
【００３９】
そして本発明では、フープ筋２３と主筋２４を柵状構造に組み立て、その中にアンカー支柱２２とアンカーボルト１３を配置し、アンカーボルト１３と主筋２４の下端部２７・２８を四方に長く突き出してユニットアンカー４１を構成しており、その高さはアクテイブアンカーよりも短くて済み、特に、柱脚間にＨ形鋼梁３６を架け渡した形鋼基礎梁は強い耐震性を有するので、コンクリート基台３８を打設するために地中を深く掘り下げる必要もなく、その地中の堀り起こしと埋め戻し作業は柱脚を支えるコンクリート基台箇所だけで済む、基礎工事に伴う土の搬出・搬入や型枠の搬入・搬出、組立・解体の手間も省けるので、基礎工事の工期を大きく短期化することが出来る。
【００４０】
ジョイントボックス４４を柱脚３７に用いる場合には、四側面の何れにもＨ形鋼梁３６を接合することが出来、ブラケット梁４２を方向や高さを変えて突設する必要がないので、支柱５８の種類が減り、形鋼基礎梁の施工がシステムとして標準化し易くなり、また、突き合わせるブラケット梁４２とＨ形鋼梁３６の間に出来る遊嵌もなくなるので形鋼基礎梁の施工精度が確保されるなど、本発明の利とするところ多大である。
【００４１】
尚、この明細書の特許請求の範囲の欄の記載事項には、図面に表示した番号に対応する番号を付記しているが、その付記した番号は、この明細書の内容を理解し易くするためのものであり、その付記した番号によって、その付記された特許請求の範囲の欄の記載事項が、図面の記載事項に限定されることを意味するものではない。
【図面の簡単な説明】
【図１】本発明の実施例に係るユニットアンカーの側面図である。
【図２】本発明の実施例に係るユニットアンカーの使用状態における側面図である。
【図３】本発明の実施例に係るユニットアンカーの組み立て過程における斜視図である。
【図４】本発明の実施例に係るユニットアンカーの組み立て過程における斜視図である。
【図５】本発明の実施例に係るユニットアンカーの組み立て過程における斜視図である。
【図６】本発明の実施例に係るユニットアンカーの組み立て過程における斜視図である。
【図７】本発明の実施例に係るユニットアンカーの組み立て過程における斜視図である。
【図８】本発明の実施例に係るユニットアンカーの組み立て過程における斜視図である。
【図９】本発明の実施例に係るユニットアンカーの組み立て過程における斜視図である。
【図１０】本発明の実施例に係るコンクリート基台の斜視図である。
【図１１】本発明の実施例に係るユニットアンカーの組み立て過程における要部斜視図である。
【図１２】本発明の実施例に係るコンクリート基台の斜視図である。
【図１３】本発明の実施例に係る形鋼基礎梁の柱脚との接合箇所における断面正面図である。
【図１４】本発明の実施例に係る形鋼基礎梁の柱脚との接合箇所における断面正面図である。
【図１５】本発明の実施例に係る形鋼基礎梁の柱脚との接合箇所における斜視図である。
【符号の説明】
１１  金属拡張アンカー
１２  固定ボルト
１３  アンカーボルト
１４  アンカーボルト差込孔
１５  開口部
１６  上部型板
１７  固定ボルト差込孔
１８  脚材
１９  接合ボルト
２０  接合ボルト差込孔
２１  アーム
２２  アンカー支柱
２３  フープ筋
２４  主筋
２５  ナット
２６  接合ボルト差込孔
２７  下端部
２８  下端部
２９  二等分線
３０  中空角形鋼管の外面
３１  ナット
３２  セパレーター
３３  上側ナット
３４  下側ナット
３５  座金
３６  Ｈ形鋼梁
３７  柱脚
３８  コンクリート基台
３９  捨てコンクリート
４０  ベース筋
４１  ユニットアンカー
４２  ブラケット梁
４３  スプライスプレート
４４  ジョイントボックス
４５  エンドプレート
４６  ボルト
４７  砕石層
４８  捨てコンクリート
４９  砕石
５０  ベースナット
５１  ナット
５２  型枠
５３  中空部
５４  コンクリートまんじゅう
５６  嵌合孔
５７  レベル調整板
５８  支柱
５９  段差
６０  小穴
６１  グラウド
６２  ボルト差込孔
６３  ボルト差込孔
６４  ボルト差込孔
６５  ボルト差込孔
６６  ボルト差込孔
６７  ボルト差込孔
７２  ボルト差込孔
７３  ボルト差込孔
７４  ボルト差込孔
７５  ボルト差込孔
【図１】
0003612600.tif 000002
【図２】
0003612600.tif 000003
【図３】
0003612600.tif 000004
【図４】
0003612600.tif 000005
【図５】
0003612600.tif 000006
【図６】
0003612600.tif 000007
【図７】
0003612600.tif 000008
【図８】
0003612600.tif 000009
【図９】
0003612600.tif 000010
【図１０】
0003612600.tif 000011
【図１１】
0003612600.tif 000012
【図１２】
0003612600.tif 000013
【図１３】
0003612600.tif 000014
【図１４】
0003612600.tif 000015
【図１５】
0003612600.tif 000016